(57)【要約】      （修正有）【課題】仮説電源用の仮設ボックスや照明器具等の着脱や運搬が容易な使い勝手の良い仮説電柱の提供。【解決手段】電柱部材１には、周側の対向する位置に左右一対の突起１ａが上下に等間隔で複数個連設されており、その一部の突起１ａに、電柱部材１の周側を抱える状態に配した取付片２２、４ｃや側板部３２ａに設けた切欠開口２ａ、４ａ、３ａが係合することで、仮設ボックス２や計器取付板４や照明器具３が取り付けられる。仮設ボックス２や計器取付板４の取付片２２、４ｃの切欠開口２ａ、４ａは下方が開いており、係合している突起１ａを構成するボルトを緩めて持ち上げれば容易に取外し得る。照明器具３の溝型取付部材３２はその両側板部３２ａに各々切欠開口３ａが形成してあり、同様に容易に取り外し得る。仮設ボックス２及び計器取付板４の取付片２２、４ｃ及び溝形取付部材３２の側板部３２ａは装柱時以外は嵩張らないように伏せておける。【選択図】図１
0003113007.tif 000002
【実用新案登録請求の範囲】
【請求項１】
相互に周側上の同一高さで対向する位置に位置する突起対を、高さ方向に複数対連設した電柱部材と、
背面に構成した、前記電柱部材を抱え得る間隔で配した一対の取付片であって、該背面を前記突起の突出方向と直交する方向から該電柱部材の周側に当設させた場合に、各々対応する側の突起に着脱自在に係合し得る係合部を備えた一対の取付片を備えた仮設ボックスと、
で構成した仮設電柱。
【請求項２】
背面から延長した、前記電柱部材をその溝部で抱え得る横断面ほぼＵ字形の溝型取付部材であって、その溝部の底部を前記突起の突出方向と直交する方向から該電柱部材の周側に当設させた場合に、両側の側板部に各々対応する側の突起に係合し得る係合部を構成した溝型取付部を有する照明器具を付設した請求項１の仮設電柱。
【請求項３】
前記取付片を起伏自在に構成した請求項１の仮設電柱。
【請求項４】
前記側板部を起伏自在に構成した請求項２の仮設電柱。
【請求項５】
計器取付板の背面に各々係合部を備えた一対の取付片を構成し、該計器取付板を、その背面を前記突起の突出方向と直交する方向から前記電柱部材の周側に当設させた場合に、該一対の取付片の各係合部で各々対応する側の突起に着脱自在に係合し得るように構成した請求項１、２、３又は４の仮設電柱。
【請求項６】
前記取付片を起伏自在に構成した請求項５の仮設電柱。
【考案の詳細な説明】
【技術分野】
【０００１】
本考案は、建築工事や土木工事等の際に使用される仮設電柱に関し、特に仮設電源用の仮設ボックスや照明器具の着脱が容易な使い勝手の良い仮設電柱に関するものである。
【背景技術】
【０００２】
建築工事その他の種々の工事の際等に使用される仮設電柱は、通常、工事現場等に運んで使用されるため、現場での設置や運搬が容易なことが要求される。特許文献１の仮設電源柱装置は、地面上に下端を接地させて立設する電源柱体の下端から放射状に伸びるバー形態の接地部材と、その接地部材の各々の先端と電源柱体の側周間を連結する「長さ調整セット自在のバー形態のステー部材」からなる立設固定手段を備え、接地部材の各々を地面上に接地させると共に、ステー部材を緊締状態にして電源柱体の立設姿勢を固定セット可能な構造としている。このため、地面に穴を掘って埋設しなくても電源柱体の安定性の向上を図ることが可能であり、更に電源柱体の立設固定作業の省人化・能率化を図り得るものでもある。
【０００３】
しかし、現場での設置や撤去に際しては、電柱本体の立設が容易であることだけでなく、装柱対象である電源用の仮設ボックスや照明器具、或いは電力量計その他の計器類が電柱本体に着脱可能なことも要求される。このため、従来、仮設ボックスの背面に固定用のベルトを取り付け、装柱時にはこのベルトを電柱本体に巻き付けてボルトとナットとで締結すると言った手段が採用されている。
【０００４】
上記のような従来技術でも仮設ボックスや照明器具を仮設電柱本体に着脱することは可能である。しかし、従来技術では、着脱の度に、ボルトからナットを外してベルトの輪を開く必要があるため非常に手間が掛るものであり、だからといって、ナットを少し緩めるだけで輪を閉じたまま、その輪を長い電柱の端から通し、或いは外すのも１人ではやり難い作業である。このように着脱には手間が掛るため、仮設電柱に仮設ボックスや照明器具或いは電力量計等の計器類を取り付けたまま運搬し、その結果、取り付けや取り外しの手数以上に効率の悪い作業を強いられたり、物品の破損を招く虞もある。
【０００５】
【特許文献１】特開平２００２―１１８９４０号公報
【考案の開示】
【考案が解決しようとする課題】
【０００６】
本考案は、以上に述べた従来技術の問題点を解決し、運搬し易く、組立や分解の容易な仮設電柱を提供することを解決の課題とするものである。
【課題を解決するための手段】
【０００７】
本考案の１は、相互に周側上の同一高さで対向する位置に位置する突起対を、高さ方向に複数対連設した電柱部材と、
背面に構成した、前記電柱部材を抱え得る間隔で配した一対の取付片であって、該背面を前記突起の突出方向と直交する方向から該電柱部材の周側に当設させた場合に、各々対応する側の突起に着脱自在に係合し得る係合部を備えた一対の取付片を備えた仮設ボックスと、
で構成した仮設電柱である。
【０００８】
本考案の２は、本考案の１の仮設電柱に於いて、背面から延長した、前記電柱部材をその溝部で抱え得る横断面ほぼＵ字形の溝型取付部材であって、その溝部の底部を前記突起の突出方向と直交する方向から該電柱部材の周側に当設させた場合に、両側の側板部に各々対応する側の突起に係合し得る係合部を構成した溝型取付部を有する照明器具を付設したものである。
【０００９】
本考案の３は、本考案の１の仮設電柱に於いて、前記取付片を起伏自在に構成したものである。
【００１０】
本考案の４は、本考案の２の仮設電柱に於いて、前記側板部を起伏自在に構成したものである。
【００１１】
本考案の５は、本考案の１、２、３又は４の仮設電柱に於いて、計器取付板の背面に各々係合部を備えた一対の取付片を構成し、該計器取付板を、その背面を前記突起の突出方向と直交する方向から前記電柱部材の周側に当設させた場合に、該一対の取付片の各係合部で各々対応する側の突起に着脱自在に係合し得るように構成したものである。
【００１２】
本考案の６は、本考案の５の仮設電柱に於いて、前記取付片を起伏自在に構成したものである。
【考案の効果】
【００１３】
本考案の１の仮設電柱によれば、仮設ボックスの着脱が容易であるため、現場での設置がスピーディに行えると共に、運搬時にはこれを外して安全な状態で車両等に積むことができ、それらの損傷等の問題もないし、嵩張らないようにすることができる。
【００１４】
本考案の２の仮設電柱によれば、更に照明器具の着脱も容易であるので、一層現場での設置がスピーディに行え、運搬時にも車両等に整理した状態で積み込むことが可能であり、一層使い勝手の良いものとなる。
【００１５】
本考案の３の仮設電柱によれば、仮設ボックスを、現場に設置する時以外は、電柱部材から外した上で、嵩張らないように取付片を倒してコンパクトにしておくことができる。またこの状態では仮設ボックスの背面に突起がなくなるので、保管がしやすくなる。
【００１６】
本考案の４の仮設電柱によれば、照明器具を、現場に設置する時以外は、電柱部材から外した上で、嵩張らないように側板部を倒してコンパクトにしておくことができる。
【００１７】
本考案の５の仮設電柱によれば、種々の計器類を必要に応じて取り付けることのできる計器取付板を着脱自在に取り付けることが可能であり、仮設ボックスや照明器具と同様に、その他の種々の計器類についても、現場での設置がスピーディに行えると共に、運搬時にはこれを外して安全な状態で車両等に積むことができ、それらの損傷等の問題もないし、嵩張らないようにすることができるものである。
【００１８】
本考案の６の仮設電柱によれば、仮設ボックスや照明器具と同様に、電力量計その他の種々の計器類に関しても、現場に設置する時以外は、電柱部材から外した上で、嵩張らないように取付片を倒してコンパクトにしておくことができる。
【考案を実施するための最良の形態】
【００１９】
本考案による仮設電柱は、基本的に、複数の突起対を長さ方向に連設した電柱部材と、その突起対を利用して着脱する取付片を備えた仮設ボックスとで構成したものである。
【００２０】
前記電柱部材は、形状的には、基本的に従来のものと同様で、通常金属パイプ等が適当である。アルミニウム又はアルミニウム合金製のそれが軽量で使いやすい。またこの電柱部材としては、長さ（高さ）が伸縮調整可能なものでも採用可能である。その横断面形状やサイズが、前記突起を配設する範囲内で一様であるならば特に限定しないが、パイプ体の中でも、主として円柱（パイプ）を想定している。
【００２１】
前記突起対は、それぞれ前記電柱部材の相互に周側上の同一高さで対向する位置に構成したものであり、また該電柱部材の周方向の同一角度位置で、長さ方向に沿って複数対を連設したものである。連設間隔は通常定間隔とするのが適当である。またその連設すべき範囲は、前記仮設ボックスを装柱する可能性のある高さの範囲とするのは云うまでもない。対となる各突起は、前記仮設ボックスの装柱に支障のない形状やサイズ及び強度を備えているものであれば良い。例えば、各種のピン部材を採用することができるが、電柱部材の該当する位置に雌ねじを連設形成しておき、それらにボルトをねじ込んで構成することができる。
【００２２】
前記仮設ボックスは、その機能等は従来と同様で、通常、その内部に配線ブレーカやコンセントを配設し、受電した電力を照明器具や電動工具等に供給するためのもので、その背面が前記電柱部材の周側に当接して固定される。
【００２３】
該仮設ボックスの背面に取り付けられる一対の取付片は、通常、該電柱部材が円柱のため、その直径に対応した間隔で配置され、該仮設ボックスの高さに対応する長さ寸法に構成された概ね長方形の板状の部材である。該仮設ボックスを電柱部材に取り付ける際は、その背面を前記突起対と直交する方向から該電柱部材に当接させ、該一対の取付片で該電柱部材の周側を両側から抱えるように挟むものとし、両側の取付片を該電柱部材の突起対に係合する。
【００２４】
前記各取付片は、該電柱部材の相互に周方向の対向する位置に配した突起対に係合するものであり、その係合のための形状又は構造は、それによる係合が確実にできるものである限り自由である。
【００２５】
例えば、該両取付片は、前記突起対の内の一側のそれと係合するものとし、更に上下二段以上の突起対の該一側のそれと係合することとするのが適当である。各々上下二段の突起と係合するものとした場合は、それぞれに係合すべく該当する間隔で二つの係合部を構成する。
【００２６】
上記係合部は、例えば、係合孔又は係合切欠に形成することが出来る。該係合部を係合孔に構成した場合は、前記突起を電柱部材に着脱自在に構成しておき、該突起を電柱部材から外して該係合孔に挿通させつつ再度電柱部材に挿入結合又はねじ込み結合等をすることによってその取り付けを行うことができる。或いは該取付片を起伏自在に構成しておき、両取付片を開いた状態で該電柱部材に当接し、両取付片を閉じながらその係合孔に突起を挿入するようにすることができる。前記係合部を係合切欠に構成する場合は、その形状を、例えば、フック状に形成しておき、該フック状の係合切欠で突起に係合することができる。
【００２７】
いずれの場合も突起と取付片の取付状態を確実にすることが好ましく、そのためには、突起がボルト部材等のねじ込み可能な部材であることが好ましい。そうしてこれをねじ込んでその取付状態を確実なものとする。
【００２８】
また前記取付片は、これらを前記仮設ボックスの背面に起伏自在に取り付けるのが好ましい。このように構成することにより、装柱時以外には、これを仮設ボックスの背面側に倒して嵩張らないようにすることができる。また該取付片は、単に起伏可能なだけではなく、適度な抵抗を有することにより、起伏過程の任意の角度位置に固定可能に構成しておくのが適当である。
【００２９】
前記電柱部材には、照明器具を着脱自在に構成するのが適当である。この場合は、該電柱部材への取付手段としては、例えば、背面から延長した、前記電柱部材をその溝部で抱え得る横断面ほぼＵ字形の溝型取付部材を採用することができる。この溝型取付部材は、照明器具の背面側から延長したものとし、その溝部の底部を前記突起の突出方向と直交する方向から該電柱部材の周側に当設させた場合に、その両側の側板部に各々対応する側の突起に係合し得る係合部を構成したものとする。
【００３０】
この係合部は、前記仮設ボックスの取付片に構成したそれと同様の構成とすることができる。
【００３１】
また前記両側の側板部は、仮設ボックスの取付片と同様に、前記溝形取付部材の溝底部側に起伏自在に取り付けるのが好ましい。このように構成することにより、装柱時以外には、これを溝底部側に倒して嵩張らないようにすることができる。また該側板部は、前記取付片と同様に、単に起伏可能なだけではなく、適度な抵抗を有することにより、起伏過程の任意の角度位置に固定可能に構成しておくのが適当である。
【００３２】
前記照明器具は、従来と同様のものを採用可能であり、例えば、蛍光灯を採用することができる。電源は前記仮設ボックスに設置するコンセントから取る。或いはコンセントを介さずに直接に取ることも可能である。
【００３３】
前記電柱部材には、更に計器取付板を着脱自在に取り付けることとするのが好ましい。該計器取付板は、その正面側に電力量計その他の計器類を取り付けた上で、該電柱部材に取り付けるための手段である。該計器取付板を該電柱部材に着脱自在に取り付ける手段としては、前記仮設ボックスと同様に、該計器取付板の背面に構成した一対の取付片を採用する。該一対の取付片には各々一以上の係合部を構成し、該計器取付板を、その背面を前記突起の突出方向と直交する方向から該電柱部材の周側に当設させた場合に、該一対の取付片の各係合部で各々対応する側の突起に着脱自在に係合し得るようにする。
【００３４】
前記各係合部は、前記仮設ボックスの取付片に構成したそれと同様の構成とすることができる。
【００３５】
また前記取付片は、前記仮設ボックスの取付片と同様に、前記計器取付板の背面に起伏自在に取り付けるのが好ましい。このように構成することにより、装柱時以外には、これを該計器取付板の背面側に倒して嵩張らないようにすることができる。また該取付片は、前記仮設ボックスのそれと同様に、単に起伏可能なだけではなく、適度な抵抗を有することとすることにより、起伏過程の任意の角度位置に固定可能に構成しておくのが適当である。
【００３６】
従って本考案の仮設電柱によれば、以下のようにして、前記した仮設ボックスや照明器具、或いは電力量計等の計器類を装柱して、必要な位置に設置することができる。
【００３７】
この仮設電柱を設置する場合は、先ず使用上の都合に合わせて適当な高さに仮設ボックスや照明器具、或いは電力量計その他の計器類を取り付ける。その取り付け方は、先に述べた通りである。例えば、仮設ボックスを取り付ける場合は、取付片が起伏自在で、伏せた状態になっている場合には、これらをまず起す。このとき、前記したように、その動作に適度な抵抗があるように構成してあれば、該取付片は、起した角度位置が保持されることになる。
【００３８】
次いで、該仮設ボックスの背面を、前記適当な高さ位置で、該電柱部材に当接させ、該一対の取付片で該電柱部材を挟むように配置する。このとき、前記したように、該取付片に構成した係合形状又は構造に応じて突起と係合する。フック状の係合切欠に構成した場合には、該係合切欠に該突起を係合し、更に該突起がボルト部材等で構成されたものである場合は、これをねじ込んで該取付片を締付固定しておくのが適当である。
【００３９】
前記のように、照明器具も使用する場合は、これを電柱部材の適当な高さ位置に取り付ける。該電柱部材の適当な高さ位置にその溝型取付部材を配し、その底面を該電柱部材の周側に当接させ、その両側板部の係合部で該電柱部材に配した突起に係合する。係合部を、前記取付片のそれと同様に、フック状の係合切欠に構成した場合は、該係合切欠で該突起に係合する。この後、該突起がボルト部材で構成したものである場合は、これをねじ込んで該溝型取付部材を電柱部材に締付固定する。
【００４０】
前記側板部が起伏自在で、伏せた状態になっている場合には、これらをまず起こした上で以上の作業を行う。このとき、前記したように、その動作に適度な抵抗があるように構成してあれば、該側板部は、起した角度位置が保持されるが、これは前記取付片の場合と同様である。
【００４１】
更に電力量計等の計器類を取り付ける場合は、これらを前記計器取付板の正面側に取り付け、該計器取付板を介してこれらを前記電柱部材に取り付ける。該計器取付板には前記仮設ボックスと全く同様の構成の取付片を配してあるため、前記した通り、全く同様に電柱部材に取り付けることができる。
【００４２】
これらの電柱部材への取付作業は、これを立てた状態で行っても倒した状態で行っても良い。照明器具は多くの場合高所に設置するので、通常、倒した状態又は傾斜した状態で取り付けるのが好都合である。これらの取り付け後、仮設ボックス等への配線が終了した後、該電柱部材を所定の深さに埋込み、更に状況に応じて支線等で補強する。なおこの仮設電柱を解体する場合は以上と逆の手順で行えば良い。
【００４３】
以上のように、本考案の仮設電柱によれば、仮設ボックスや照明器具、更には電力量計等の計器類の着脱が容易で、しかも装柱時以外は仮設ボックスや照明器具その他を嵩張らないようにコンパクトにしておくことができ、運搬にも好都合であり、使い勝手が良い。
【実施例】
【００４４】
この実施例の仮設電柱は、図１(a)、(b)、(c)に示すように、対向状態の各１対の突起１ａ、１ａ…を周側の上下に等間隔で連設した電柱部材１と、該電柱部材１に着脱自在に装柱する仮設ボックス２と、同様に該電柱部材１に着脱自在に装柱する照明器具３と、更に同様に該電柱部材１に着脱自在に装柱する計器取付板４を主な構成要素として作製したものである。
【００４５】
前記電柱部材１は、この実施例では、アルミニウム合金製のパイプ体を採用したものであり、その周側の１８０度の角度間隔で対向する位置には、前記突起１ａ、１ａ…を同一高さの各一対毎に高さ方向に沿って等間隔で連設する。該突起１ａ、１ａ…の上下方向の取付範囲は、前記仮設ボックス２や照明器具３並びに計器取付板４を装柱する可能性のある範囲である。
【００４６】
前記各突起１ａ、１ａ…は、その突起本体を、前記仮設ボックス２の取付片２２、２２に形成した切欠開口２ａ、２ａ、前記照明器具３の溝型取付部材３２の側板部３２ａ、３２ａに形成した切欠開口３ａ、３ａ及び前記計器取付板４の取付片４ｃ、４ｃに形成した切欠開口４ａ、４ａの各々と嵌合し得る太さ寸法のボルトに構成し、その頭部を該切欠開口２ａ、３ａ、４ａを貫通し得ない寸法のボルト頭部に構成したものであり、該切欠開口２ａ、３ａ、４ａを該突起１ａ、１ａ…に係止した場合に、更に該突起１ａ、１ａ…を前記電柱部材１側にねじ込むことで、該切欠開口２ａ、２ａ…、３ａ、３ａ…、４ａ、４ａ…を形成した取付片２２、２２、４ｃ、４ｃ又は側板部３２ａ、３２ａを該電柱部材１に締付固定することを可能にしている。
【００４７】
前記仮設ボックス２は、従来のそれと同様の構成であり、この実施例では、図１(a)及び図３に示すように、ボックス本体２１と、その前面の一端にヒンジを介して取り付けた開閉扉２３と、その開閉操作のためのハンドル２４と、そのボックス本体２１の内部に配した、取付プレート２ｃ上の漏電ブレーカ２ｄ、配線ブレーカ２ｅ、２ｅ及びコンセント２ｆ、２ｆとからなり、前記電柱部材１で受電した電力は、図５に示すように、電線Ｌを介して照明器具３の照明灯３１に、電線Ｘを介して電動工具等に、それぞれ供給可能となっている。また該仮設ボックス２は、後述するように、その背面の取付片２２、２２によって該電柱部材１に取り付けられるようになっている。
【００４８】
前記仮設ボックス２の背面には、図１(a)、(c)及び図２(a)、(b)、(c)に示すように、その中央部に平行な左右一対の取付片２２、２２が取り付けてある。その間隔は、図１(a)、(c)及び図２(c)に示すように、これらを起立させた状態でその間に前記電柱部材１を挟み得る寸法とする。また各取付片２２、２２は、その上端と下端とに、下部が開いたフック状の切欠開口２ａ、２ａ…を形成し、該取付片２２、２２と該仮設ボックス２の背面とで、前記突起１ａ、１ａの突出方向と交差する方向から該電柱部材１を抱える状態に配した場合に、該電柱部材１の該当する位置に突出させた突起１ａ、１ａ…に該フック状の切欠開口２ａ、２ａ…で係止できるようにしたものである。なお、当然、前記上端と下端の切欠開口２ａ、２ａの間隔は、前記電柱部材１の突起１ａ、１ａ…の隣接する上下間の間隔と同一寸法とする。
【００４９】
なお前記切欠開口２ａ、２ａ…の溝幅は、前記突起１ａ、１ａ…の突起本体を構成するボルトの径を僅かに越え、そのボルト頭部よりも狭く構成したものである。該突起１ａ、１ａ…に該切欠開口２ａ、２ａ…で係止可能でありつつ、容易に外れないようにする趣旨である。このように突起１ａ、１ａ…に該切欠開口２ａ、２ａ…で係止した取付片２２、２２は、前記したように、更に該突起１ａ、１ａ…のボルトを電柱部材１にねじ込むと、そのボルト頭部で締付固定され、これを固定した仮設ボックス２は該電柱部材１に確実に固定されることになる。
【００５０】
なおまた、前記取付片２２は、図２(a)、(b)、(c)に示すように、各々ヒンジ２ｂ、２ｂ…を介して前記仮設ボックス２のボックス本体２１の背面に起伏自在に取り付けたものであり、装柱時以外は、これらを嵩張らないように伏せておくことができる。ヒンジ２ｂ、２ｂは、単に起伏可能なだけではなく、適度な抵抗を持たせたものとし、該取付片２２、２２を起伏操作の過程の任意の角度位置に保持可能としたものでもある。
【００５１】
前記照明器具３は、図１(a)に示すように、照明灯３１と、これに配した横断面Ｕ字形の溝型取付部材３２とで構成したものであり、該溝型取付部材３２は、その底部を、前記電柱部材１の周側に、これに配した突起１ａ、１ａの突出方向と交差する方向から当接させた場合に、該突起１ａ、１ａ…と係合し得る左右二対の切欠開口３ａ、３ａ…をその両側の側板部３２ａ、３２ａに形成したものである。該切欠開口３ａ、３ａ…の上方の一対と下方の一対との間隔は、前記電柱部材１の周側に配設した突起１ａ、１ａ…の隣接する上下間の間隔と同一の寸法とする。
【００５２】
なお前記側板部３２ａ、３２ａは、図１(a)、(b)に示すように、各々ヒンジ３２ｂ、３２ｂを介して前記溝形取付部材３２の溝底部両側の起立側部に起伏自在に取り付けたものであり、装柱時以外は、これらを嵩張らないように伏せておくことができる。ヒンジ３２ｂ、３２ｂは、単に起伏可能なだけではなく、適度な抵抗を持たせたものとし、該側板部３２ａ、３２ａを起伏操作の過程の任意の角度位置に保持可能としたものでもある。
【００５３】
前記照明灯３１は、この実施例では、蛍光灯を採用し、前記のように、電源は前記仮設ボックス２から供給されるようにする。より具体的には、該仮設ボックス２中のコンセント２ｆを介して供給を受けるようにする。
【００５４】
前記溝型取付部材３２の両側板部３２ａ、３２ａに各々形成した切欠開口３ａ、３ａの内上部のそれは、特に図１(a)及び図５に示すように、該溝型取付部材３２の長さ方向に沿ったメインの切欠部と、その下端から後方（外方）に開いた開口部とで構成したものであり、下方のそれは、メインの切欠部のみで構成したものである。前記し、図１(a)及び図５に示すように、該溝型取付部材３２の底部を前記電柱部材１の周側に当接させ、その両側板部３２ａ、３２ａの各切欠開口３ａ、３ａで該電柱部材１の周側に突設した突起１ａ、１ａ…を係止させた場合に、前記仮設ボックス２の場合と同様に、該突起１ａ、１ａ…を構成するボルトを該電柱部材１にねじ込むことにより、そのボルト頭部で該両側板部３２ａ、３２ａを締付固定し、これに固定した照明灯３１を該電柱部材１に確実に固定することができる。
【００５５】
前記計器取付板４は、図１及び図４(a)、(b)、(c)に示すように、四辺形の板材と、その背面にヒンジ４ｂを介して配した取付片４ｃ、４ｃとからなり、該取付片４ｃ、４ｃは、前記のように、切欠開口４ａ、４ａを形成したものである。これらの取付片４ｃ、４ｃ、ヒンジ４ｂ、４ｂ及び該取付片４ｃ、４ｃに形成した切欠開口４ａ、４ａは、それぞれ前記仮設ボックス２の取付片２２、２２、ヒンジ２ｂ、２ｂ及び切欠開口２ａ、２ａと全く同様に構成であり、全く同様に機能する。
【００５６】
なおこの実施例では、前記計器取付板４の正面側には、図１(a)及び図４(b)、(c)に示すように、電力量計４ｄを取り付けて、この実施例の仮設電柱を通じて使用する電力量を計測することとする。
【００５７】
従ってこの実施例の仮設電柱によれば、以下のようにして、前記仮設ボックス２及び照明器具３、並びに電力量計４ｄを配した計器取付板４を装柱して、必要な位置に設置することができる。
【００５８】
先ず電柱部材１の所定の高さ位置に仮設ボックス２及び照明器具３並びに電力量計４ｄを配した計器取付板４を取り付ける。仮設ボックス２の背面の左右１対の取付片２２、照明器具３の一対の側板部３２ａ、３２ａ及び計器取付板４の一対の取付片４ｃ、４ｃが、それぞれ伏せた状態になっていた場合には、いずれも起しておく。この場合、前記したように、各ヒンジ２ｂ、２ｂ、３２ｂ、３２ｂ、４ｂ、４ｂに適度な抵抗があり、該取付片２２、２２、４ｃ、４ｃ及び側板部３２ａ、３２ａは、起立させた角度位置に保持された状態となる。
【００５９】
該電柱部材１の周側に、突起１ａ、１ａ…の突出方向と交差する方向から、仮設ボックス２の背面を当接させ、その取付片２２、２２の切欠開口２ａ、２ａ…を該当する部位の上下二対の突起１ａ、１ａ…にその上方から係止させる。照明器具３も同様にその溝型取付部材３２の底部を仮設ボックス２と同様の方向から該電柱部材１の周側に当接させ、その両側板部３２ａ、３２ａの切欠開口３ａ、３ａ…を該当する部位の上下二対の突起１ａ、１ａ…にその上方から係止させる。更に前記計器取付板４も前記仮設ボックス２と全く同様にその背面を前記電柱部材１の周側に当接させ、その取付片４ｃ、４ｃの切欠開口４ａ、４ａ…を該当する部位の上下二対の突起１ａ、１ａ…にその上方から係止させる。
【００６０】
上記仮設ボックス２、照明器具３及び計器取付板４は、それぞれ現場での都合に応じて、電柱部材１のそれに適合する適切な高さ位置に、以上のようにセットする。これは該電柱部材１を倒した状態又は起立させた状態のいずれでも行うことができる。
【００６１】
仮設ボックス２、照明器具３及び計器取付板４は、いずれも以上のように電柱部材１にセットした上で、その突起１ａ、１ａ…を構成するボルトを該電柱部材１にねじ込み、その取付片２２、２２、４ｃ、４ｃ及び側板部３２ａ、３２ａを該電柱部材１に固定する。
【００６２】
次いで、図３に示すように、仮設ボックス２等への電線Ｕ、Ｌ、Ｗ等の配線が終了した後、電柱部材１を立ち上げて、その下端を適当な深さまで埋込み、更に、図５に示すように、必要に応じて、前記電線Ｗとは逆方向に張った支線Ｓで補強する。なお電線Ｕ、Ｌ、Ｗ等の電柱部材１に沿わせた部分は適宜間隔で固定用ベルト１ｂを用いて該電柱部材１に固定する。また該支線Ｓの一端は電柱部材１の上端の係合部１ｃに取付用具Ｔで係止し、他端は杭Ｚを打ち込んでその杭Ｚにより地面に固定する。支線Ｓの途中には、ガイシＵを挿入して上下を絶縁する。また支線Ｓの下部は安全のためカバーＶで覆う。
【００６３】
なお、この仮設電柱を解体する場合は、以上とは逆の手順で行えば良い。
【００６４】
以上のように、この実施例の仮設電柱によれば、仮設ボックス２や照明器具３、更には電力量計４ｄ等の計器類を配した計器取付板４の着脱が容易で、しかも装柱時以外は、仮設ボックス２や照明器具３等を嵩張らないように、それぞれの取付片２２、２２、４ｃ、４ｃ及び側板部３２ａ、３２ａを倒してコンパクトにしておくことができ、非常に使い勝手が良い。
【図面の簡単な説明】
【００６５】
【図１】(a)は仮設ボックスと照明器具とを装柱した状態に於ける実施例１の仮設電柱の一部切欠概略側面図、(b)は (a)のｂ―ｂ線拡大断面図、(c)は (a)のｃ―ｃ線拡大断面図。
【図２】(a)は取付片を伏せた状態の仮設ボックスの概略背面図、(b)は取付片を伏せた状態の仮設ボックスの概略平面図、(c)は取付片を起した状態の仮設ボックスの概略平面図。
【図３】仮設ボックスの開閉扉を開いて内部の機器配置を示している概念図。
【図４】(a)は取付片を伏せた状態の、電力量計を取り付けた計器取付板の概略背面図、(b)は取付片を伏せた状態の、電力量計を取り付けた計器取付板の概略平面図、(c)は取付片を起こした状態の、電力量計を取り付けた計器取付板の概略背面図。
【図５】設置した状態の実施例１の仮設電柱の概略側面図。
【符号の説明】
【００６６】
１      電柱部材
１ａ    突起
１ｂ    固定用ベルト
１ｃ    係合部
２      仮設ボックス
２ａ    切欠開口
２ｂ    ヒンジ
２ｃ    取付プレート
２ｄ    漏電ブレーカ
２ｅ    配線ブレーカ
２ｆ    コンセント
２１    ボックス本体
２２    取付片
２３    開閉扉
２４    ハンドル
３      照明器具
３ａ    切欠開口
３１    照明灯
３２    溝型取付部材
３２ａ  側板部
３２ｂ  ヒンジ
４      計器取付板
４ａ    切欠開口
４ｂ    ヒンジ
４ｃ    取付片
４ｄ    電力量計
Ｌ、Ｕ、Ｗ、Ｘ  電線
Ｓ      支線
Ｔ      取付用具
Ｕ      ガイシ
Ｖ      カバー
Ｚ      杭
【図１】
0003113007.tif 000003
【図２】
0003113007.tif 000004
【図３】
0003113007.tif 000005
【図４】
0003113007.tif 000006
【図５】
0003113007.tif 000007